(57)【要約】【課題】電気集じん機の極板洗浄を行うために装置内部を水密にするための構造が必要であり、また水密にした装置内部を満たすために多くの洗浄液が必要であるため洗浄後の廃液量が増大するといった課題がある。【解決手段】洗浄手段は、洗浄配管５を軸に回転する回転ハブ４と、この回転ハブ４の外周部に放射状に設けられた複数本の中空アーム６と、この中空アーム６に設けられた少なくとも１個のスプレーノズル７とで構成され、洗浄配管５から搬送されてくる洗浄液が回転ハブ４および中空アーム６内を通過し、スプレーノズル７から噴射する推力を利用して回転ハブが回転することが可能となり、極板３に吸着した浮遊粒子の洗浄および除去能力を向上する洗浄手段を提供することができる電気集じん機の洗浄装置が得られる。【選択図】図１
2010179270.tif 000002
【特許請求の範囲】
【請求項１】
粉塵またはオイルミストなどの浮遊粒子を帯電させる帯電極部と、前記帯電極部で帯電された浮遊粒子を電気的に吸着して捕集する集じん極部と、前記帯電極部、または／および前記集じん極部の極板に吸着した浮遊粒子を洗浄する洗浄手段と、洗浄に使用する洗浄液を搬送する搬送手段とを備えた電気集じん機において、前記洗浄手段は、洗浄液を搬送する洗浄配管に設けられた配管を軸に回転する回転ハブと、この回転ハブの外周部に放射状に設けられた複数本の中空アームと、この中空アームに設けられた少なくとも１個のスプレーノズルとで構成され、前記回転ハブの回転面が、前記極板面に対して直交するように設け、前記スプレーノズルの噴射方向は、前記回転ハブの回転軸を中心とした周方向であって、前記中空アームが回転した際に形成される回転面に対して洗浄される極板側に向け、前記スプレーノズルから噴射する推力を利用して前記回転ハブが回転する構造としたことを特徴とする電気集じん機の洗浄装置。
【請求項２】
粉塵またはオイルミストなどの浮遊粒子を帯電させる帯電極部と、前記帯電極部で帯電された浮遊粒子を電気的に吸着して捕集する集じん極部と、前記帯電極部、または／および前記集じん極部の極板に吸着した浮遊粒子を洗浄する洗浄手段と、洗浄に使用する洗浄液を搬送する搬送手段とを備えた電気集じん機において、前記洗浄手段は、洗浄液を搬送する洗浄配管に設けられた配管を軸に回転する回転ハブと、この回転ハブの外周部に放射状に設けられた複数本の中空アームと、この中空アームに設けられた少なくとも１個のスプレーノズルとで構成され、前記回転ハブの回転面が、前記極板面に対して直交するように設け、前記スプレーノズルの噴射方向は、前記回転ハブの回転軸を中心とした周方向であって、前記中空アームが回転した際に形成される回転面に対して洗浄される極板側に向け、前記回転ハブの上側または下側または両側に複数枚の羽根を備えた羽根車が前記回転ハブと同期回転するように固定され、この羽根車の羽根が洗浄液を受けて回転するように、前記洗浄配管に１個または複数個の洗浄液の噴射孔を設け、前記回転ハブが回転する構造としたことを特徴とする電気集じん機の洗浄装置。
【請求項３】
粉塵またはオイルミストなどの浮遊粒子を帯電させる帯電極部と、前記帯電極部で帯電された浮遊粒子を電気的に吸着して捕集する集じん極部と、前記帯電極部、または／および前記集じん極部の極板に吸着した浮遊粒子を洗浄する洗浄手段と、洗浄に使用する洗浄液を搬送する搬送手段とを備えた電気集じん機において、前記洗浄手段は、洗浄液を搬送する洗浄配管に設けられた配管を軸に回転する回転ハブと、この回転ハブの外周部に放射状に設けられた複数本の中空アームと、この中空アームに設けられた少なくとも１個のスプレーノズルとで構成され、前記回転ハブの回転面が、前記極板面に対して直交するように設け、前記スプレーノズルの噴射方向は、前記回転ハブの回転軸を中心とした周方向であって、前記中空アームが回転した際に形成される回転面に対して洗浄される極板側に向け、 前記回転ハブ内部の外周部に複数枚の羽根を配置し、 前記洗浄配管から搬送された洗浄液は前記回転ハブ内部の前記羽根に当たることで前記回転ハブを回転させ、その後、前記中空アーム内を通過し、前記スプレーノズルから噴射する構造としたことを特徴とする電気集じん機の洗浄装置。
【請求項４】
前記スプレーノズルは、前記回転ハブの回転方向側に噴射口を向けたことを特徴とする請求項２または３記載の電気集じん機の洗浄装置。
【請求項５】
前記回転ハブは、前記帯電極部または／および前記集じん極部の上部に配置し、かつ、水平に回転し、前記スプレーノズルは、噴射方向を斜め下方に向けたことを特徴とする請求項１〜４いずれかひとつに記載の電気集じん機の洗浄装置。
【請求項６】
前記回転ハブは、中心部に貫通孔を設けて洗浄配管に回動可能に挿入され、上側の貫通孔の孔径に対して下側の貫通孔の孔径を大きくしたことを特徴とする請求項１〜５いずれかひとつに記載の電気集じん機の洗浄装置。
【請求項７】
前記回転ハブは、中心部に貫通孔を設けて洗浄配管に回動可能に挿入され、上側の貫通孔の孔径と下側の貫通孔の孔径を同等とし、前記回転ハブ下面に洗浄配管の終端部分に排水孔を備えたことを特徴とする請求項１〜５いずれかひとつに記載の電気集じん機の洗浄装置。
【請求項８】
前記回転ハブが回転軸方向にスライド可能としたことを特徴とする請求項１〜７いずれかひとつに記載の電気集じん機の洗浄装置。
【請求項９】
前記洗浄配管に円盤状の前記回転ハブの保持部材を設け、この保持部材の上側に前記回転ハブを載せるように保持し、前記回転ハブと前記保持部材の接触面の片側または両側に凹凸形状を施したことを特徴とする請求項１〜８いずれかひとつに記載の電気集じん機の洗浄装置。
【請求項１０】
前記スプレーノズルは、取り付け角度を１本の中空アーム内でそれぞれ異なる角度で複数個取り付けたことを特徴とする請求項１〜９いずれかひとつに記載の電気集じん機の洗浄装置。
【請求項１１】
前記回転ハブを前記洗浄配管に複数個備えたことを特徴とする請求項１〜１０記載の電気集じん機の洗浄装置。
【発明の詳細な説明】
【技術分野】
【０００１】
本発明は、機械工場や鋳物工場等で使用される粉塵またはオイルミストなどの浮遊粒子の集じんを行う電気集じん機において、浮遊粒子が付着した装置内の極板またはフィルター等の洗浄手段として洗浄ノズルから洗浄液等を噴射して洗浄を行う構造および噴射手段に関するものである。
【背景技術】
【０００２】
従来、この種の電気集じん機の極板洗浄方法は、帯電部と集じん部で構成された電気集じんユニット部の通風口前後を水密に閉塞する開閉自在な閉塞手段により、内部を洗浄液で満たし、その洗浄液を振動または流動させることで極板の洗浄を行い、洗浄後の廃液を排出する構洗浄液排出手段を備えた構造がよく知られている（例えば、特許文献１参照）。
【０００３】
また、スプレーノズルを配置し、極板洗浄する方法において、集じん電極ユニットの側縁部に対向しガス流路の横断方向に沿って間隔をおいて複数の鉛直水管を配設し、この鉛直水管に回転噴霧器を取り付けて洗浄を行う方法もある。（例えば、特許文献２参照）。
【特許文献１】特開平６−１５１９７号公報
【特許文献２】特開平１０−１６５８４０号公報
【発明の開示】
【発明が解決しようとする課題】
【０００４】
このような従来の電気集じん機の極板洗浄方法では、電気集じんユニット部を洗浄するために通風口前後を水密に保つことが必要であるが、水漏れを発生させない構造を維持するという課題がある。また電気集じんユニット部を洗浄するために内部を水で満たすために多くの水を使用することが必要といった課題があり、水漏れが発生し難い簡素な構造を持ち、かつ高い洗浄能力であることが要求され、環境および経済性の観点から水の使用量を低減する洗浄方法であることも要求されている。また、集じん電極ユニットの側縁部に対向しガス流路の横断方向に沿って間隔をおいて複数の鉛直水管を配設し、この鉛直水管に回転噴霧器を取り付けて洗浄を行う方法においては、ガス流路中に鉛直水管および回転噴霧器を配置する構造となるため、流路内圧力損失の増大、また、回転噴霧器がガス流路に配置されるために浮遊粒子等の付着が増加するという課題があり、流路内圧力損失の低減およびメンテナンス性の向上が要求されている。
【０００５】
本発明は、このような従来の課題を解決するものであり、高い洗浄能力を確保し、かつ洗浄で使用する水の使用量を低減した洗浄方法を提供することができ、また、洗浄手段としてのスプレーノズルを電気集じん機の極板上側にまとめて配置したことで、流路内圧力損失の低減およびメンテナンス性の向上も図ることのできる電気集じん機の洗浄装置を提供することを目的としている。
【課題を解決するための手段】
【０００６】
本発明の電気集じん機の洗浄装置は上記目的を達成するために、粉塵またはオイルミストなどの浮遊粒子を帯電させる帯電極部と、前記帯電極部で帯電された浮遊粒子を電気的に吸着して捕集する集じん極部と、前記帯電極部、または／および前記集じん極部の極板に吸着した浮遊粒子を洗浄する洗浄手段と、洗浄に使用する洗浄液を搬送する搬送手段とを備えた電気集じん機において、前記洗浄手段は、洗浄液を搬送する洗浄配管に設けられた配管を軸に回転する回転ハブと、この回転ハブの外周部に放射状に設けられた複数本の中空アームと、この中空アームに設けられた少なくとも１個のスプレーノズルとで構成され、前記回転ハブの回転面が、前記極板面に対して直交するように設け、前記スプレーノズルの噴射方向は、前記回転ハブの回転軸を中心とした周方向であって、前記中空アームが回転した際に形成される回転面に対して洗浄される極板側に向け、前記スプレーノズルから噴射する推力を利用して前記回転ハブが回転することを特徴としたものである。
【０００７】
この手段により、スプレーノズルから洗浄液を噴射する際に発生する推進力が回転ハブを回転させる回転力として利用でき、極板等に付着した浮遊粒子の洗浄を１つのスプレーノズルでより大きな範囲を洗浄可能とする洗浄手段を提供することができる電気集じん機の洗浄装置が得られる。
【０００８】
また他の手段は、前記洗浄手段は、洗浄液を搬送する洗浄配管に設けられた配管を軸に回転する回転ハブと、この回転ハブの外周部に放射状に設けられた複数本の中空アームと、この中空アームに設けられた少なくとも１個のスプレーノズルとで構成され、前記回転ハブの回転面が、前記極板面に対して直交するように設け、前記スプレーノズルの噴射方向は、前記回転ハブの回転軸を中心とした周方向であって、前記中空アームが回転した際に形成される回転面に対して洗浄される極板側に向け、前記回転ハブの上側または下側または両側に複数枚の羽根を備えた羽根車が前記回転ハブと同期回転するように固定され、この羽根車の羽根が洗浄液を受けて回転するように、前記洗浄配管に１個または複数個の洗浄液の噴射孔を設け、前記回転ハブが回転する構造としたことを特徴としたものである。
【０００９】
この手段によりスプレーノズルからの洗浄液の噴射による推進力に加え、羽根車が受ける回転力も回転ハブに与えることができることで、極板等に付着した浮遊粒子の洗浄を１つのスプレーノズルでより大きな範囲を洗浄可能とし、また、回転力の増大によりスプレーノズルから噴射される洗浄液等が極板等に強く当たることで洗浄能力の向上が図れる洗浄手段を提供することができる電気集じん機の洗浄装置が得られる。
【００１０】
また他の手段は、前記洗浄手段は、洗浄液を搬送する洗浄配管に設けられた配管を軸に回転する回転ハブと、この回転ハブの外周部に放射状に設けられた複数本の中空アームと、この中空アームに設けられた少なくとも１個のスプレーノズルとで構成され、前記回転ハブの回転面が、前記極板面に対して直交するように設け、前記スプレーノズルの噴射方向は、前記回転ハブの回転軸を中心とした周方向であって、前記中空アームが回転した際に形成される回転面に対して洗浄される極板側に向け、前記回転ハブ内部の外周部に複数枚の羽根を配置し、前記洗浄配管から搬送された洗浄液は前記回転ハブ内部の前記羽根に当たることで前記回転ハブを回転させ、その後、前記中空アーム内を通過し、前記スプレーノズルから噴射する構造としたことを特徴としたものである。
【００１１】
この手段によりスプレーノズルからの洗浄液の噴射による推進力に加え、回転ハブ内部に設けられた羽根車が受ける力も回転力として利用できることで、極板等に付着した浮遊粒子の洗浄を１つのスプレーノズルでより大きな範囲を洗浄可能とし、また、回転力の増大によりスプレーノズルから噴射される洗浄液等が極板等に強く当たることで洗浄能力の向上を可能とする洗浄手段を提供することができる電気集じん機の洗浄装置が得られる。
【００１２】
また他の手段は、前記スプレーノズルは、前記回転ハブの回転方向側に噴射口を向けたことを特徴とするものである。
【００１３】
この手段によりスプレーノズルから噴射される洗浄液等と回転方向が同方向となるため極板等に当たる洗浄液の衝突速度が上昇し、洗浄効果の向上が可能となる洗浄手段を提供することができる電気集じん機の洗浄装置が得られる。
【００１４】
また他の手段は、前記回転ハブは、前記帯電極部または／および前記集じん極部の上部に配置し、かつ、水平に回転し、前記スプレーノズルは、噴射方向を斜め下方に向けたことを特徴とするものである。
【００１５】
この手段により前記回転ハブをガス流路内の圧力損失の増大を抑制する位置に配置することが可能であり、かつ、スプレーノズルから洗浄液等が斜め下方に噴射されるため極板面に衝突する洗浄液等が増加し、付着した浮遊粒子などを効率良く下方へ除去することが可能となる洗浄手段を提供することができる電気集じん機の洗浄装置が得られる。
【００１６】
また、他の手段は、前記回転ハブは、中心部に貫通孔を設けて洗浄配管に回動可能に挿入され、上側の貫通孔の孔径に対して下側の貫通孔の孔径を大きくしたことを特徴としたものである。
【００１７】
この手段により洗浄配管に挿入された回転ハブ内部を通過する洗浄剤等に混入し配管詰まりの原因となる異物等を大きな孔径側の隙間から配管外へ噴出可能とすることで異物等による目詰まりの発生を抑え、メンテナンス頻度の削減を可能とする洗浄手段を提供することができる電気集じん機の洗浄装置が得られる。
【００１８】
また、他の手段は、前記回転ハブは、中心部に貫通孔を設けて洗浄配管に回動可能に挿入され、上側の貫通孔の孔径と下側の貫通孔の孔径を同等とし、前記回転ハブ下面に洗浄配管の終端部分に排水孔を備えたものである。
【００１９】
この手段により洗浄配管に挿入された回転ハブ内部を通過する洗浄剤等に混入し配管詰まりの原因となる異物等を前記回転ハブ下面に設けた１個または複数個の孔から配管外へ噴出可能とすることで異物等による目詰まりの発生を抑え、メンテナンス頻度の削減を可能とする洗浄手段を提供することができる電気集じん機の洗浄装置が得られる。
【００２０】
また、他の手段は、前記回転ハブが回転軸方向にスライド可能としたものである。
【００２１】
この手段により回転ハブが回転洗浄を行う際、スプレーノズルからの噴射力等により回転ハブを前記保持部材から浮上させることが可能となり、前記回転ハブと前記保持部材が回転時に発生させる摩擦力を低減することを可能とする洗浄手段を提供することができる電気集じん機の洗浄装置が得られる。
【００２２】
また、他の手段は、前記洗浄配管に円盤状の前記回転ハブの保持部材を設け、この保持部材の上側に前記回転ハブを載せるように保持し、前記回転ハブと前記保持部材の接触面の片側または両側に凹凸形状を施したことを特徴としたものである。
【００２３】
この手段により前記回転ハブと前記保持部材との接触面積を低減することができ、次回洗浄動作を実施する時期までに接触面で固着等が発生し前記回転ハブの回転不良を抑制することが可能となる洗浄手段を提供することができる電気集じん機の洗浄装置が得られる。
【００２４】
また、他の手段は、前記スプレーノズルは、取り付け角度を１本の中空アーム内でそれぞれ異なる角度で複数個取り付けたことを特徴としたものである。
【００２５】
この手段により前記中空アームに取り付ける前記スプレーノズルを回転軸心からの取り付け位置により角度の変更し、回転により極板等に衝突する洗浄液等の相対速度をバランス良く調整することで、洗浄効果のばらつきを抑制することが可能となる洗浄手段を提供することができる電気集じん機の洗浄装置が得られる。
【００２６】
また他の手段は、前記回転ハブを前記洗浄配管に複数個備えたことを特徴としたものである。
【００２７】
この手段により処理風量が多い大型の装置で電気集塵ユニット部が上下に多段に配置された場合においても、極板に吸着した浮遊粒子の洗浄および除去が可能となる洗浄手段を提供することができる電気集じん機の洗浄装置が得られる。
【発明の効果】
【００２８】
本発明によれば、帯電極部または集じん極部を構成する複数枚の極板を洗浄する洗浄手段として洗浄液を搬送する洗浄配管の洗浄側終端部分に配管を軸に回転可能な回転ハブが備えられ、回転ハブの外周部には中空アームが複数本に配置され、中空アームにはスプレーノズルが取り付けられており、スプレーノズルから噴射する推力を利用して回転ハブが回転する構造としたことにより、スプレーノズルから洗浄液を噴射する際に発生する推進力が回転ハブを回転させる回転力として利用することが可能となり、極板等に付着した浮遊粒子の洗浄を１つのスプレーノズルでより大きな範囲を洗浄可能という効果のある電気集じん機の洗浄装置を提供できる。
【００２９】
また、回転ハブの上側または下側または両方側に複数枚の羽根を備えた羽根車を設ける、または回転ハブの内部に羽根を備えたことにより、洗浄液が羽根に当たることで回転ハブの回転可能となり、回転ハブ外周部に備えられた中空アームに取り付けてあるスプレーノズルから極板等に付着した浮遊粒子の洗浄を１つのスプレーノズルでより大きな洗浄範囲をカバー可能で、また回転力の増大によりスプレーノズルから噴射される洗浄液等が極板等に強く当たるため洗浄能力の向上が図れるという効果のある電気集じん機の洗浄装置を提供できる。
【００３０】
また、洗浄配管と回転ハブとのはめ合い部分または回転ハブの下面に洗浄液の排出が可能となる隙間または孔を備えたことにより、洗浄配管内の異物等を配管外へ噴出可能となり、メンテナンス頻度の削減が図れるという効果のある電気集じん機の洗浄装置を提供できる。
【００３１】
また、回転ハブが回転軸心方向にスライド可能となるように、回転ハブ側の回転軸心方向のはめ合い部寸法より、洗浄配管側のはめ合い部寸法を長くして回転ハブが回転洗浄を行う際のスプレーノズルからの噴射力等により保持部材から浮上させることが可能となり、回転ハブと保持部材との回転時の摩擦力を低減が図れるという効果のある電気集じん機の洗浄装置を提供できる。
【００３２】
また、回転ハブと保持部材の接触面に凹凸形状を施したことにより、回転ハブと保持部材の接触面積を低減することが可能となり、洗浄間隔が長くなった際の接触面での固着等の発生抑制が図れるという効果のある電気集じん機の洗浄装置を提供できる。
【００３３】
また、中空アームに取り付けるスプレーノズルを回転軸心からの取り付け位置毎に角度を変更することにより、極板等に衝突する洗浄液等の相対速度をバランス良く調整することが可能となり、洗浄効果のばらつきを抑制が図れるという効果のある電気集じん機の洗浄装置を提供できる。
【００３４】
また、中空アームに取り付けるスプレーノズルの取り付けを回転ハブの回転方向側に噴射口を向け、かつ中空アームにはスプレーノズルが取り付けられ、スプレーノズルが取り付けられた中空アームが回転ハブの外周部に複数本備えたことにより、スプレーノズルから噴射される洗浄液等と回転方向が同方向となるため極板等に当たる洗浄液の衝突速度が上昇することが可能となり、洗浄効果の向上が図れるという効果のある電気集じん機の洗浄装置を提供できる。
【００３５】
また、スプレーノズルおよび中空アームを取り付けた回転ハブを洗浄配管に複数個備えることにより、処理風量が多い用途にも対応が可能となる電気集じん機の洗浄装置を提供できる。
【発明を実施するための最良の形態】
【００３６】
以下、本発明のオイルミスト電気集じん機の洗浄装置の実施の形態について、図面に基づいて説明する。
【００３７】
図１は本発明の一実施の形態によるオイルミスト電気集じん機の洗浄装置構造の概要を示す斜視図、図２は本発明第二の実施の形態のオイルミスト電気集じん機の洗浄装置のスプレーノズルの取り付け角度を示した同オイルミスト電気集じん機の洗浄構造の正面図、図３は本発明第三の実施の形態のオイルミスト電気集じん機の洗浄装置の回転ハブに羽根車の配置を示した同オイルミスト電気集じん機の洗浄装置の部分斜視図、図４は本発明第四の実施の形態のオイルミスト電気集じん機の洗浄装置の回転ハブ内部に羽根車を備えた同オイルミスト電気集じん機の回転ハブ構造の部分断面図、図５は本発明第二の実施の形態のオイルミスト電気集じん機の洗浄装置の回転ハブの構造を示す部分断面図、図６は本発明第五の実施の形態のオイルミスト電気集じん機の洗浄装置のスプレーノズル配置を示した同オイルミスト電気集じん機の洗浄装置構造の概要を示す部分斜視図、図７は本発明第六の実施の形態のオイルミスト電気集じん機を多段に積載した同オイルミスト電気集じん機の洗浄構造の概要を示す斜視図である。
【００３８】
（実施の形態１）
図１に示すように、本発明の第１の実施の形態のオイルミスト電気集じん機は、粉塵、オイルミストなどの浮遊粒子を帯電させる帯電極部１とこの帯電極部１で帯電された浮遊粒子を吸着して捕集する集じん極部２で構成されている。この集じん極部２は、複数段で構成してもよい。また、帯電極部１および集じん極部２は複数枚の極板３で構成されている。帯電極部１、集じん極部２の上部には、洗浄液、あるいは水・温水を噴射する回転ハブ４が洗浄配管５の終端部に配管を軸に回転可能となるように備えている。この回転ハブ４の外周部から放射状に複数本の中空アーム６が配置され、この中空アーム６には複数個のスプレーノズル７が取り付けられており、洗浄液、あるいは水・温水はこのスプレーノズル７から噴射される。装置下部には、洗浄に使用する洗浄液、あるいは水・温水を貯める貯水槽８が設けられている。この貯水槽８には配管を接続し、ポンプ９を介して配管を流れる洗浄液を制御するバルブ１０に接続されており、その後、回転ハブ４に接続される構造としている。
【００３９】
図２に示すように、回転ハブ４は、中心に貫通孔（図２では図示せず）を設け、洗浄配管５に配管終端部から挿入される。洗浄配管５には、回転ハブ４の下側に円盤状の保持部材１１を設け、回転ハブ４が落下脱落しないように保持する。また、回転ハブ４には、洗浄配管５を中心軸として放射状に中空アーム６が複数本（本実施の形態では２本）取り付けられている。中空アーム６には、スプレーノズル７が取り付けられ、その流体噴射口は帯電極部１、集じん極部２を構成する極板３に向かって吹き付けるように配置される。噴射される流体は、所定の角度を有した状態で噴射される。スプレーノズル７の取り付けは、中空アーム６が回転した際に形成される回転面とスプレーノズル７の流体噴射口中心との角度αを２０〜７０°となるように配置するようにしている。この取り付け角度は調整することが可能であり、それにより、スプレーノズル７で噴射する流体が極板３を洗浄する範囲を任意に変更することが可能である。なお、本実施の形態ではスプレーノズル７のスプレー形状はフルコーン形のものを使用したが他のものを使用しても同様の効果が得られる。
【００４０】
このような構成の電気集じん機は、運転することによって極板３上に浮遊粒子が付着する。浮遊粒子の付着がすすむと集じん効率が低下してしまうため、適宜洗浄が必要である。洗浄する際には、ポンプ９を運転し、貯水槽８内の洗浄液（あるいは水・温水）を回転ハブ４へ送る。送られた洗浄液（あるいは水・温水）は、スプレーノズル７から極板３に向けて噴射する推力により回転ハブ４は洗浄配管５を軸心として回転し、極板３上に付着した浮遊粒子を洗い流すこととなる。なお、スプレーノズル７は洗浄液（あるいは水・温水）を噴射した後、極板などに付着した水滴を吹き飛ばすためのエアブローとしても利用可能としている。さらに、スプレーノズル７から噴射された洗浄液（あるいは水・温水）は極板３を洗浄しながら流れ落ちていき、再び貯水槽８に蓄えられポンプ９によって再循環する構造となっている。
【００４１】
上記構成によれば、貯水槽８で蓄えた洗浄液（あるいは水・温水）をポンプ９で循環させることで再利用するため、極板３を洗浄することで発生する廃液の使用量を低減できるという効果がある。
【００４２】
また、スプレーノズル７から噴射される洗浄液（あるいは水・温水）は、極板３の上方から回転しながら噴射されるため、スプレーノズル７の１個あたりの洗浄範囲を広くとれることで、スプレーノズル７の使用数量を少なくすることができ、洗浄を効率よく実施できるという効果もある。
【００４３】
（実施の形態２）
第２の実施の形態の電気集じん機は、図３に示すように、回転ハブ４の上部に複数枚の羽根１２を円周方向に配置した羽根車１３が同期回転するように固定され、洗浄配管５の外周部に設けられた１個または複数個の噴射孔１４から洗浄液（あるいは水・温水）が羽根車１３に向かって噴射するように配置したものである。この構成により、回転ハブ４が回転しながらスプレーノズル７から洗浄液（あるいは水・温水）を噴射し、スプレーノズル７の１個あたりの洗浄範囲を広くとれることで、スプレーノズル７の使用数量を少ない状態で極板３を効率よく洗浄することを可能にしている。
【００４４】
なお、図４では、羽根車１３を回転ハブ４に付設することなく、回転ハブ４内部の外周部に複数枚の羽根１２を円周方向に配置し、回転ハブ４の内部、かつ洗浄配管５の外周部に設けられた１個または複数個の噴射孔１４から噴射した洗浄液（あるいは水・温水）が羽根１２に当たるように配置したものである。この構成により、回転ハブ４が回転し、さらにその外周に備えられた中空パイプ内を通過した後、スプレーノズル７から極板３を洗浄することで、回転ハブ４に羽根車１３を付設したものと同等の効果を得ることが可能となり、さらに羽根を回転ハブ４内部に備えることで装置の縮小化を図ることも可能としている。
【００４５】
また、図５に示すように、回転ハブ４は、洗浄配管５と回転ハブ４のはめ合い部分において上部貫通孔１５に対して下部貫通孔１６の孔径が大きくなるようにしている。この構成により、洗浄配管５内を流れる洗浄剤（あるいは水・温水）に混入し配管詰まりの原因となる異物等を大きな孔径側の隙間、すなわち、下部貫通孔１６から配管外へ噴出可能とすることで、異物等による目詰まりの発生を抑え、メンテナンス頻度の削減を可能としている。
【００４６】
また、回転ハブ４の下面に洗浄配管５の終端部分に取り付けられた保持部材１１との接触面内に洗浄液が排出可能となる排水孔１７を備える。この排水孔１７は、回転ハブ４内部を流れる洗浄剤等に混入した異物等を排水孔１７から配管外へ噴出可能とする。
【００４７】
また、回転ハブ４は回転軸心方向にスライド可能となるように、回転ハブ４の回転軸心方向のはめ合い部寸法より、洗浄配管５のはめ合い部寸法を長くしている。この構成により、回転ハブ４が回転洗浄を行う際にスプレーノズル７からの噴射力により回転ハブ４を保持部材１１から浮上させることが可能となり、回転ハブ４と保持部材１１の接触により回転時に発生する摩擦力を低減することを可能としている。
【００４８】
また、保持部材１１が回転ハブ４と接触する面には、回転軸を中心とした複数の同心円からなる凹凸形状１８を施す。この構成により、回転ハブ４と保持部材１１との接触面積が低減し、次回洗浄動作を実施する時期までに接触面で発生する固着等を抑制し、回転ハブ４の回転不良による洗浄性能の悪化を抑制することを可能としている。なお、本実施の形態において凹凸形状１８は保持部材１１に備えたが、回転ハブ４側または両方の部材に備えても同様の効果が得られる。
【００４９】
（実施の形態３）
第３の実施の形態の電気集じん機は、図６に示すように、中空アーム６に複数個のスプレーノズル７を回転軸心から任意の位置毎に、中空アーム６が回転した際に形成される回転面とスプレーノズル７の流体噴射口中心との角度を回転軸に近い位置からβ１、β２（β１＜β２）となるように配置したものである。この構成により、極板３に衝突する洗浄液（あるいは水・温水）の相対速度をバランス良く調整することが可能で、洗浄効果のばらつきの抑制を図れるという効果が得られる。
【００５０】
なお、本実施の形態では１本の中空アーム６に取り付けたスプレーノズル７は２個としたが、３個以上のスプレーノズル７を取り付けても同様の効果が得られる。
【００５１】
また、本実施の形態では、中空アーム６に取り付けるスプレーノズル７の取り付けを回転ハブ４の回転方向側にスプレーノズル７の流体噴射口を向け、かつ中空アーム６にはスプレーノズル７を任意の角度で取り付け、スプレーノズル７を取り付けた中空アーム６が回転ハブ４の外周部に複数本備えている。このような構成によれば、スプレーノズル７から噴射される洗浄液と回転方向が同方向となることで、極板３に当たる洗浄液の衝突速度を上げることが可能となり、洗浄効果の向上を図れるという効果が得られる。
【００５２】
（実施の形態４）
第４の実施の形態の電気集じん機は、図７に示すように、帯電極部１、集じん極部２、回転ハブ４に備えられたスプレーノズル７を上下２段に配置し、上段に配置した帯電極部１および集じん極部２は上段の上側に備えたスプレーノズル７で洗浄を行い、下段に配置した帯電極部１および集じん極部２は下段の上側に備えたスプレーノズル７で洗浄を行うようにすることで、粉塵またはオイルミストの処理風量が多い大型の装置においても各極板３を洗浄できる効果が得られる。
【産業上の利用可能性】
【００５３】
本発明は、電気集じん機の電極洗浄方式としてスプレーノズルから噴射する流体を洗浄液および洗浄液を洗い流す水または温水としたが、洗浄液および洗浄液を洗い流す水または温水以外の流体を利用するものにも適用できる。
【図面の簡単な説明】
【００５４】
【図１】本発明の実施の形態１のオイルミスト電気集じん機の洗浄装置構造の概要を示す斜視図
【図２】本発明の実施の形態１のオイルミスト電気集じん機の洗浄装置のスプレーノズルの取り付け角度を示した正面図
【図３】本発明の実施の形態２のオイルミスト電気集じん機の洗浄装置の回転ハブに羽根車の配置を示した回転ハブ構造の部分斜視図
【図４】本発明の実施の形態２のオイルミスト電気集じん機の洗浄装置の回転ハブ内部に羽根車を備えた回転ハブ構造の部分断面図
【図５】本発明の実施の形態２のオイルミスト電気集じん機の洗浄装置の回転ハブの構造を示す部分断面図
【図６】本発明の実施の形態３のオイルミスト電気集じん機の洗浄装置のスプレーノズル配置を示した部分斜視図
【図７】本発明の実施の形態４のオイルミスト電気集じん機を多段に積載した斜視図
【符号の説明】
【００５５】
１    帯電極部
２    集じん極部
３    極板
４    回転ハブ
４ａ  回転ハブ
５    洗浄配管
６    中空アーム
７    スプレーノズル
８    貯水槽
９    ポンプ
１０  バルブ
１１  保持部材
１２  羽根
１３  羽根車
１４  噴射孔
１５  上部貫通孔
１６  下部貫通孔
１７  排水孔
１８  凹凸形状
【図１】
2010179270.tif 000003
【図２】
2010179270.tif 000004
【図３】
2010179270.tif 000005
【図４】
2010179270.tif 000006
【図５】
2010179270.tif 000007
【図６】
2010179270.tif 000008
【図７】
2010179270.tif 000009